(57)【特許請求の範囲】
【請求項１】
鍵盤部を収容した楽器本体に前記鍵盤部を覆うための鍵盤蓋が支点部を中心に上下方向に回転可能に取り付けられ、前記鍵盤蓋が前記楽器本体の後方に傾いた状態で起立することにより、前記鍵盤部を開放する鍵盤楽器において、
前記鍵盤蓋に、当該鍵盤蓋が前記楽器本体の後方に傾いた状態で起立した際に、前記楽器本体の底板の両側に起立して設けられた一対の側板の長手方向における後端部の端面に当接するストッパ部を設けたことを特徴とする鍵盤楽器。
【請求項２】
前記楽器本体は、前記一対の側板間に位置して前記底板の前端部に起立して設けられた前板と、前記一対の側板間に位置して前記底板の後端部に起立して設けられた後板と、を備えていることを特徴とする請求項１に記載の鍵盤楽器。
【請求項３】
前記一対の側板の後部には、その外側面から前記後板に向けて挿入する締結部材によって前記後板を固定するための複数の取付孔が設けられており、前記ストッパ部は、前記一対の側板における前記後端部の前記端面において、前記複数の取付孔に対応する箇所から上下方向に離れた箇所に当接することを特徴とする請求項２に記載の鍵盤楽器。
【請求項４】
前記ストッパ部は、弾性変形可能に形成され、前記ストッパ部が前記一対の側板における前記後端部の前記端面に当接して弾性変形した際に、前記鍵盤蓋が前記楽器本体の後端面に対して非接触状態を保持するように前記ストッパ部の突出高さが形成されていることを特徴とする請求項１〜請求項３のいずれかに記載の鍵盤楽器。
【発明の詳細な説明】
【技術分野】
【０００１】
この発明は、電子ピアノや電子オルガンなどの鍵盤楽器に関する。
【背景技術】
【０００２】
従来、電子ピアノなどの鍵盤楽器においては、特許文献１に記載されているように、楽器本体内に設けられた鍵盤部を覆うための鍵盤蓋の後部における両側に、一対のアーム部材を楽器本体内に向けて延出させて設け、この一対のアーム部材を楽器本体内の両側に設けられた一対の取付軸に回転可能に取り付けることにより、この一対の取付軸を中心に鍵盤蓋を上下方向に回転させて鍵盤部を開閉するように構成したものが知られている。
【先行技術文献】
【特許文献】
【０００３】
【特許文献１】特開平０５−３１３６５３号公報
【発明の概要】
【発明が解決しようとする課題】
【０００４】
しかしながら、このような従来の鍵盤楽器では、鍵盤蓋が一対の支持軸を中心に回転して開いた際に、鍵盤蓋が楽器本体の後部に当接するため、鍵盤蓋の開閉動作を繰り返していると、楽器本体の後部に歪や亀裂が生じ、これが長期間に亘ると、楽器本体の後部が破損することがあるという問題がある。
【０００５】
このような問題を回避するために、楽器本体１の後部の厚みを厚くしたり、また補強部材を設けたりして、楽器本体の後部に十分な強度を持たせることが考えられているが、楽器本体の後部は、楽器本体の内部を隠すためのものであり、本来、十分な強度を持たせる必要がないため、重量の増加やコストアップなどの原因になる。
【０００６】
この発明が解決しようとする課題は、簡単な構造で、鍵盤蓋の開閉動作を繰り返しても、鍵盤蓋が当接する楽器本体における後部の破損を防ぐことができる鍵盤楽器を提供することである。
【課題を解決するための手段】
【０００７】
本発明は、上記課題を解決するために、次のような構成要素を備えている。
請求項１に記載の発明は、鍵盤部を収容した楽器本体に前記鍵盤部を覆うための鍵盤蓋が支点部を中心に上下方向に回転可能に取り付けられ、前記鍵盤蓋が前記楽器本体の後方に傾いた状態で起立することにより、前記鍵盤部を開放する鍵盤楽器において、前記鍵盤蓋に、当該鍵盤蓋が前記楽器本体の後方に傾いた状態で起立した際に、前記前記楽器本体の底板の両側に起立して設けられた一対の側板の長手方向における後端部の端面に当接するストッパ部を設けたことを特徴とする鍵盤楽器である。
【０００８】
請求項２に記載の発明は、前記楽器本体が、前記一対の側板間に位置して前記底板の前端部に起立して設けられた前板と、前記一対の側板間に位置して前記底板の後端部に起立して設けられた後板と、を備えていることを特徴とする請求項１に記載の鍵盤楽器である。
【０００９】
請求項３に記載の発明は、前記一対の側板の後部に、その外側面から前記後板に向けて挿入する締結部材によって前記後板を固定するための複数の取付孔が設けられており、前記ストッパ部は、前記一対の側板における後端部の前記端面において、前記複数の取付孔に対応する箇所から上下方向に離れた箇所に当接することを特徴とする請求項２に記載の鍵盤楽器である。
【００１０】
請求項４に記載の発明は、前記ストッパ部が、弾性変形可能に形成され、前記ストッパ部が前記一対の側板における前記後端部の前記端面に当接して弾性変形した際に、前記鍵盤蓋が前記楽器本体の後端面に対して非接触状態を保持するように前記ストッパ部の突出高さが形成されていることを特徴とする請求項１〜請求項３のいずれかに記載の鍵盤楽器である。
【発明の効果】
【００１１】
この発明によれば、鍵盤蓋を楽器本体の後方に傾けた状態で起立させた際に、鍵盤蓋に設けられたストッパ部を楽器本体の後端面における最も強度の高い両端の縁部に当接させるだけの、簡単な構造で、鍵盤蓋の開閉動作によって楽器本体の後部に発生する歪や亀裂を抑えることができ、これにより長期間に亘って鍵盤蓋の開閉動作を繰り返しても、楽器本体における後部の破損を防ぐことができる。
【図面の簡単な説明】
【００１２】
【図１】この発明を適用した鍵盤楽器の一実施形態において鍵盤蓋を開いた状態を示した斜視図である。
【図２】図１のＡ−Ａ矢視において鍵盤蓋を閉じた状態を示した拡大断面図である。
【図３】図２において鍵盤蓋を開いた状態を示した拡大断面図である。
【図４】図２の楽器本体を後方（右側）から見て一部を省略した背面図である。
【図５】図４の楽器本体におけるＡ部を分解して示した拡大斜視図である。
【図６】図５の側板におけるねじ挿入孔のＢ−Ｂ矢視における断面を示し、（ａ）はその座ぐり部内のコーナ部に円弧状の面取り部を設けられた場合の拡大断面図、（ｂ）はその座ぐり部内のコーナ部に傾斜状の面取り部を設けられた場合の拡大断面図である。
【図７】図１の鍵盤蓋を正面側（左側）から見た要部の拡大斜視図である。
【図８】図３の鍵盤楽器においてストッパ部の箇所を示した要部の拡大断面図である。
【図９】図８のストッパ部を示した拡大斜視図である。
【図１０】この発明を適用した鍵盤楽器において鍵盤蓋の蓋開閉装置の変形例を示した一部破断した側面図である。
【発明を実施するための形態】
【００１３】
以下、図１〜図９を参照して、この発明を適用した鍵盤楽器の一実施形態について説明する。
この鍵盤楽器は、図１〜図４に示すように、楽器本体１を備えている。
【００１４】
この楽器本体１は、底板２と、この底板２の前端部（図２では左端部）に起立して設けられた前板３と、底板２の後端部（図２では右端部）に起立して設けられた後板４と、底板２の両側（図１では左右の両側）に起立して設けられた一対の側板５と、後板４上に位置して一対の側板５の上部間に設けられた上板６とを備えている。
【００１５】
この場合、上板６は、図１に示すように、その前側（図１では手前側）のほぼ半分程度が切り欠かれて開放されている。この上板６には、スイッチ部７ａおよびスピーカ部７ｂが設けられている。後板４は、図４に示すように、その下部が底板２の後端面２ａに当接した状態で、一対の側板５間に配置されている。
【００１６】
一対の側板５は、図１〜図４に示すように、底板２の両側（図４では左右方向の両側）の端面２ｂ、前板３の両側の端面（図示せず）、後板４の両側の端面４ｂ、および上板６の両側の端面６ａにそれぞれ取り付けられている。これにより、楽器本体１は、前部側（図１では手前側）が上方に開放された箱形状に形成されている。
【００１７】
この楽器本体１の内部には、図１〜図３に示すように、鍵盤部８が上方に露出した状態で設けられている。この鍵盤部８は、白鍵８ａおよび黒鍵８ｂを備え、これら白鍵８ａおよび黒鍵８ｂが鍵盤シャーシ（図示せず）上に上下方向に回転可能に取り付けられた状態で多数配列された構成になっている。また、この楽器本体１には、図１〜図３に示すように、鍵盤部８を開閉自在に覆う鍵盤蓋１０が蓋開閉装置１１によって開閉可能に取り付けられている。
【００１８】
この鍵盤蓋１０は、蓋開閉装置１１によって上下方向に回転することにより、図２に示すように、楽器本体１の上部に配置されて楽器本体１を閉じた際に鍵盤部８を覆い隠し、また図３に示すように、楽器本体１の後方（図２では右側）に少し傾いた状態で起立して楽器本体１を開いた際に鍵盤部８を上方に露出させるように構成されている。
【００１９】
この鍵盤蓋１０の蓋開閉装置１１は、図１〜図３に示すように、楽器本体１内の後端部に位置する一対の側板５間に架け渡された支持軸１２と、鍵盤蓋１０の下面における両側に取り付けられて支持軸１２にそれぞれ回転自在に取り付けられたアーム部材１３と、このアーム部材１３にそれぞれ取り付けられて支持軸１２を中心に鍵盤蓋１０と共に回転する連動歯車１４と、楽器本体１の側板５の内面にそれぞれ設けられて鍵盤蓋１０の開閉動作を制動するダンパ装置１５とを備えている。
【００２０】
これにより、鍵盤蓋１０は、図２および図３に示すように、支持軸１２を中心にアーム部材１３および連動歯車１４と共に上下方向に回転するように構成されている。この場合、連動歯車１４は、図２および図３に示すように、支持軸１２を中心に鍵盤蓋１０がアーム部材１３と共に回転する際に、鍵盤蓋１０の開閉動作をダンパ装置１５に伝達するように構成されている。
【００２１】
すなわち、この連動歯車１４は、図２および図３に示すように、全体がほぼ扇形状に形成されており、その外周面には、歯部１４ａが設けられている。また、この連動歯車１４は、その要となる部分が支持軸１２に回転可能に取り付けられている。これにより、連動歯車１４は、鍵盤蓋１０と共に回転するアーム部材１３の回転に伴って支持軸１２を中心に回転するように構成されている。
【００２２】
ダンパ装置１５は、図２および図３に示すように、一対の側板５の内面に取り付けられた装置本体１６を備えている。この装置本体１６の内部には、図示しないが、鍵盤蓋１０と共に回転する回転体と、この回転体の回転を制動する制動ばねとが設けられている。この場合、回転体には、連動歯車１４の歯部１４ａに噛み合って回転する歯車部１７が装置本体１６の外部に露出して設けられている。
【００２３】
また、制動ばねは、コイルばねであり、一端部が回転体に取り付けられ、他端部が装置本体１６に取り付けられている。これにより、制動ばねは、自由状態のときにニュートラル状態となり、このニュートラル状態を境にして回転体が一方向に回転すると、収縮変形して回転体に負荷を付与し、またニュートラル状態を境にして回転体が逆方向に回転すると、膨張変形して回転体に負荷を付与するように構成されている。
【００２４】
これにより、ダンパ装置１５は、鍵盤蓋１０が閉じた状態から完全に開くまでの中間位置で、制動ばねがニュートラル状態となり、この中間位置から鍵盤蓋１０が閉じる際に制動ばねが収縮変形して鍵盤蓋１０に負荷を付与し、また中間位置から鍵盤蓋１０が開く際に制動ばねが膨張変形して鍵盤蓋１０に負荷を付与するように構成されている。
【００２５】
ところで、楽器本体１の後部における両側には、図４および図５に示すように、蓋開閉装置１１の一対のアーム部材１３が支持軸１２を中心に回転する際に、一対のアーム部材１３が回転移動するためのスリット孔１８が設けられている。すなわち、このスリット孔１８は、図５に示すように、一対の側板５の後部（図５では右側部）における各内面に沿って、上板６の後部から後板４の上部に亘って連続して設けられている。
【００２６】
この場合、楽器本体１の後部は、図４および図５に示すように、底板２の後端面２ａに取り付けられた後板４と、この後板４の両側（図４では左右方向の両側）を挟んで底板２の両側の側面２ｂに取り付けられた一対の側板５と、後板４の上端面４ａに位置して一対の側板５の上部間に取り付けられた上板６とで構成されている。これにより、楽器本体１の後部に設けられたスリット孔１８は、上板６の後部に位置する両側（図４では左右方向の両側）の端面６ａと、後板４の上部に位置する両側の端面４ｂとに亘って、連続する溝状に切り欠いた構成になっている。
【００２７】
また、楽器本体１の後部に位置する一対の側板５は、図４および図５に示すように、後板４の両側（図４では左右方向の両側）の各端面４ｂと、上板６の両側（図４では左右方向の両側）の端面６ａとに、複数のねじ１９によってねじ止めされていると共に、図示しないが、底板２の両側の各端面２ｂにもねじ１９によってねじ止めされている。これにより、一対の側板５の後部は、底板２、後板４、上板６に強固に取り付けられている。
【００２８】
この場合、後板４の両側の端面４ｂと上板６の両側の端面６ａとには、図５に示すように、スリット孔１８に対応する箇所を除いて、ねじ１９がそれぞれ螺入するねじ穴２５が設けられている。また、一対の側板５の後部における外側面には、図４および図５に示すように、その外側から内側に貫通する複数のねじ挿入孔２０が後板４の両側の端面４ｂと上板６の両側の端面６ａとにおける各ねじ穴２５にそれぞれ対応して設けられている。
【００２９】
このねじ挿入孔２０は、図５および図６に示すように、ねじ１９のねじ部１９ａが挿入する挿入孔部２０ａと、ねじ１９の頭部１９ｂが挿入する座ぐり部２０ｂとで構成されている。この場合、座ぐり部２０ｂの内部におけるコーナ部分には、面取り部２１が設けられている。この面取り部２１は、図６（ａ）に示すように、円弧状に湾曲した曲面（Ｒ面）に形成されていても良く、また図６（ｂ）に示すように、傾斜状をなす傾斜面（Ｃ面）に形成されていても良い。
【００３０】
また、側板５に設けられた複数のねじ挿入孔２０のうち、後板４の両側（図４では左右方向の両側）の各端面４ｂに対応する側板５のねじ挿入孔２０は、図４および図５に示すように、底板２の後端面２ａに対応する後板４の端面４ｂにおける下部と、スリット孔１８の後側下部に位置する後板４の上部とに、それぞれ対応する上下の２箇所に設けられている。
【００３１】
これにより、後板４は、図４および図５に示すように、一対の側板５間に配置された状態で、一対の側板５と底板２の後端面２ａとにねじ１９によって取り付けられている。この場合、一対の側板５は、その下部が底板２の両側（図４では左右方向の両側）の端面２ｂにねじ１９によって取り付けられていると共に、上部が上板６の両側（図４では左右方向の両側）の端面６ａにねじ１９によって取り付けられている。これにより、一対の側板５は、底板２、後板４、および上板６に強固に固定されている。
【００３２】
一方、鍵盤蓋１０には、図１〜図４に示すように、鍵盤蓋１０を開いた際に、楽器本体
１の後端面の両側（図４では左右方向の両側）に位置する縁部に当接する一対のストッパ部２２が設けられている。すなわち、この一対のストッパ部２２は、図１、図３、図７〜図９に示すように、鍵盤蓋１０が後方に少し傾いた状態で起立した際に、一対のアーム部材１３間の外側に位置する鍵盤蓋１０の内面（図７では上面）における両側（図７では左右方向の両側）の各端部付近にそれぞれビス２２ａによって取り付けられている。
【００３３】
これにより、一対のストッパ部２２は、図３および図８に示すように、鍵盤蓋１０が後方に少し傾いた状態で起立した際に、楽器本体１の一対の側板５における後端部（図３では右端部）に位置する各端面５ａ、すなわち側板５の前後方向（図３では左右方向）である長手方向における後端部の端面５ａに当接するように構成されている。この一対のストッパ部２２は、シリコーンゴムなどの合成ゴム、あるいは天然ゴムなどの弾性を有する材料で形成されている。
【００３４】
この場合、一対のストッパ部２２は、図８および図９に示すように、鍵盤蓋１０の内面（図８では左側面）にビス２２ａによって取り付けられる取付部２３と、この取付部２３の中央部に設けられて楽器本体１の後端面に当接する突起部２４とを備えている。この突起部２４は、その先端部２４ａが円弧状に形成され、この円弧状の先端部２４ａが楽器本体１の側板５における後部の端面５ａに押し当てられると、弾性変形するように構成されている。
【００３５】
このため、一対のストッパ部２２は、図４および図８に示すように、楽器本体１の一対の側板５における後端部（図８では右側部）の各端面５ａに押し当てられた際に、弾性変形するため、その弾性変形量を考慮して、その突出高さＨ１が設定されている。すなわち、このストッパ部２２の突出高さＨ１は、ストッパ部２２が側板５における後端部の端面５ａに押し当てられて最も大きく弾性変形した際に、楽器本体１の後端面、つまり一対の側板５の後端部に位置する端面５ａおよび後板４の後面（図８では右側の外面）に、鍵盤蓋１０の後端部（図８では下端部）が接触するのを防ぐために、その両者の間に隙間Ｓを有する程度の突出高さで形成されている。
【００３６】
これにより、鍵盤蓋１０は、図８に示すように、楽器本体１の後方（図８では右側）に少し傾いた状態で起立して楽器本体１を開いた際に、一対のストッパ部２２が一対の側板５における後端部（図８では右側部）の各端面５ａに強く押し当てられて弾性変形しても、楽器本体１の後端面、つまり一対の側板５の後端部に位置する端面５ａおよび後板４の後面（図８では右側の外面）に接触しないように構成されている。
【００３７】
また、一対のストッパ部２２は、図３および図８に示すように、一対の側板５の後端部における端面５ａの上下方向におけるほぼ中間位置に当接するように、鍵盤蓋１０の所定箇所に設けられている。すなわち、一対のストッパ部２２は、図４および図５に示すように、側板５の後部に設けられてねじ１９が挿入する複数のねじ挿入孔２０から上下方向に離れた位置、例えば側板５の後部における上部と下部とにそれぞれ設けられた２つのねじ挿入孔２０間のほぼ中間位置に対応する鍵盤蓋１０の箇所に設けられている。
【００３８】
次に、このような鍵盤楽器を使用する場合について説明する。
この場合には、まず、鍵盤蓋１０を上方に回転させて鍵盤部８を開放させて露出させる。このときには、鍵盤蓋１０の前端部（図２では左端部）を持ち上げて蓋開閉装置１１の支持軸１２を中心に鍵盤蓋１０を上方に回転させる。すると、蓋開閉装置１１のアーム部材１３が支持軸１２を中心に連動歯車１４と共に回転し、この連動歯車１４の回転に伴ってダンパ装置１５の歯車部１７が回転する。
【００３９】
このときには、ダンパ装置１５の制動ばねが収縮している状態から膨張するように変形するため、鍵盤蓋１０を軽い力で開く始めることができる。そして、鍵盤蓋１０が中間位置に開くと、ダンパ装置１５の制動ばねがニュートラル状態になる。この後、鍵盤蓋１０を更に開く際には、ダンパ装置１５の制動ばねが徐々に膨張するように変形し、鍵盤蓋１０に負荷を付与するので、鍵盤蓋１０の回転動作が徐々に重くなり、鍵盤蓋１０がゆっくり後方に回転して開く。
【００４０】
そして、鍵盤蓋１０が回転して完全に開くと、図１および図３に示すように、鍵盤蓋１０の両側に設けられた一対のアーム部材１３が楽器本体１内の支持軸１２に支持された状態で、図３に示すように、鍵盤蓋１０に設けられた一対のストッパ部２２が楽器本体１の一対の側板５の後端部に位置する各端面５ａに当接することにより、鍵盤蓋１０が楽器本体１の後方に少し傾いた状態で起立する。これにより、図１および図３に示すように、鍵盤部８が開放されるので、鍵盤部８を押鍵操作して演奏することができる。
【００４１】
このときには、ダンパ装置１５の制動ばねによって鍵盤蓋１０に負荷が付与されていることにより、鍵盤蓋１０に設けられた一対のストッパ部２２が一対の側板５の後端部に位置する各端面５ａにゆっくり当接するので、鍵盤蓋１０による衝撃を軽減することができる。また、このときには、一対のストッパ部２２が楽器本体１の一対の側板５の後端部に位置する各端面５ａに押し当てられて弾性変形するため、この一対のストッパ部２２の弾性変形によっても鍵盤蓋１０による楽器本体１の後端面に対する衝撃を吸収することができる。
【００４２】
この場合には、一対のストッパ部２２が弾性変形しても、鍵盤蓋１０が楽器本体１の後端面、つまり一対の側板５の後端部に位置する端面５ａおよび後板４の後面に接触することがないので、鍵盤蓋１０が楽器本体１の後端面を傷付けることがない。また、一対のストッパ部２２は、楽器本体１の一対の側板５の後端部に位置する強度の最も高い端面５ａに押し当てられるので、鍵盤蓋１０の開閉動作によって楽器本体１の後部に歪や亀裂が生じことがない。
【００４３】
すなわち、一対の側板５は、その下部が底板２の両側（図４では左右方向の両側）の端面２ｂにねじ１９によって取り付けられていると共に、上部が上板６の両側（図４では左右方向の両側）の端面６ａにねじ１９によって取り付けられ、これにより底板２、後板４、および上板６に強固に固定されている。このため、この側板５の前後方向である長手方向における後端部の端面５ａは、楽器本体１において底板２の後端面２ａと同程度に強度が最も高く形成されているので、ストッパ部２２が押し当てられても、歪や亀裂が生じことがない。
【００４４】
また、このストッパ部２２は、図３に示すように、側板５の後部に設けられた複数のねじ挿入孔２０から上下方向に離れた位置、例えば側板５の後部における上部と下部とに設けられた２つのねじ挿入孔２０間のほぼ中間位置に対応する側板５の後端部に位置する端面５ａに押し当てられるので、側板５の後部に設けられた複数のねじ挿入孔２０によって側板５の後部の強度が低下しても、その強度が低下した部分を避けて、一対のストッパ部２２を一対の側板５の後端部に位置する各端面５ａに押し当てることができ、これによっても楽器本体１の後部に歪や亀裂の発生を防ぐことができる。
【００４５】
なお、鍵盤蓋１０を閉じる際には、図３において鍵盤蓋１０の上部を手前側（図３では左側）に引き寄せる。すると、蓋開閉装置１１の支持軸１２を中心に鍵盤蓋１０が下方に回転する。このときには、蓋開閉装置１１のアーム部材１３が支持軸１２を中心に連動歯車１４と共に回転し、この連動歯車１４の回転に伴ってダンパ装置１５の歯車部１７が回転する。すると、ダンパ装置１５の制動ばねが膨張している状態から収縮するように変形するため、鍵盤蓋１０を軽い力で閉じ始めることができる。
【００４６】
そして、鍵盤蓋１０が中間位置まで閉じると、ダンパ装置１５の制動ばねがニュートラル状態になる。この後、鍵盤蓋１０を更に閉じる際には、ダンパ装置１５の制動ばねが徐々に収縮するように変形し、鍵盤蓋１０に負荷を付与するので、鍵盤蓋１０の回転動作が徐々に重くなり、鍵盤蓋１０がゆっくり回転して閉じる。そして、鍵盤蓋１０が回転して完全に閉じると、図２に示すように、鍵盤蓋１０の両側に設けられた一対のアーム部材１３が楽器本体１内の支持軸１２に支持された状態で、図２に示すように、鍵盤蓋１０が楽器本体１の上部に配置されて鍵盤部８を覆う。
【００４７】
このように、この鍵盤楽器によれば、鍵盤蓋１０が楽器本体１の後方に傾いた状態で起立した際に、楽器本体１の後端部における両端の縁部に当接するストッパ部２２を鍵盤蓋１０に設けたので、鍵盤蓋１０に設けられたストッパ部２２を楽器本体１の後端部における最も強度の高い両端の縁部に当接させることができる。このため、構造が簡単で、鍵盤蓋１０の開閉動作を繰り返しても、楽器本体１の後部に発生する歪や亀裂を抑えることができ、これにより長期間に亘って鍵盤蓋１０の開閉動作を繰り返しても、楽器本体１における後部の破損を防ぐことができる。
【００４８】
この場合、楽器本体１は、底板２と、この底板２の両側に起立して設けられた一対の側板５と、この一対の側板５間に位置して底板２の前端部に起立して設けられた前板３と、一対の側板５間に位置して底板２の後端部に起立して設けられた後板４と、を備えており、ストッパ部２２は、一対の側板５の長手方向における後端部の端面５ａに当接するので、一対のストッパ部２２を一対の側板５の長手方向における後端部に位置する強度の最も高い端面５ａに押し当てることができ、これにより鍵盤蓋１０の開閉動作によって楽器本体１の後部に歪や亀裂が生じるのを防ぐことができる。
【００４９】
すなわち、一対の側板５における後部は、底板２および後板４に強固に固定されており、この側板５における後端部の端面５ａは、側板５の前後方向である長手方向に位置しているので、側板５の厚み方向に対して強度が極めて高く、楽器本体１において底板２の後端面２ａと同程度に強度が最も高い。このため、ストッパ部２２が側板５の端面５ａに押し当てられても、側板５の端面５ａに歪や亀裂が生じることがない。
【００５０】
また、一対の側板５の後部には、後板４を固定するためのねじ１９が挿入する複数のねじ挿入孔２０が設けられており、一対のストッパ部２２は、一対の側板５における後端部の端面５ａにおいて複数のねじ挿入孔２０に対応する箇所から上下方向に離れた箇所に当接するので、側板５の後部に設けられた複数のねじ挿入孔２０によって側板５の後部の強度が低下しても、その強度が低下した部分を避けて、一対のストッパ部２２を一対の側板５の後端部に位置する各端面５ａに押し当てることができ、これによっても一対の側板５の各端面５ａに歪や亀裂の発生を防ぐことができる。
【００５１】
この場合、ねじ挿入孔２０は、ねじ１９のねじ部１９ａが挿入する挿入孔部２０ａと、ねじ１９の頭部１９ｂが挿入する座ぐり部２０ｂとで構成され、この座ぐり部２０ｂが挿入孔部２０ａよりも大径であるから、この大径の座ぐり部２０ｂの箇所における側板５の強度が低下する。しかし、座ぐり部２０ｂの内部におけるコーナ部分には、図６（ａ）および図６（ｂ）に示すように、面取り部２１が設けられていることにより、この面取り部２１によってねじ１９の締付力による応力の集中を分散させることができ、これにより座ぐり部２０ｂの箇所における側板５の強度が更に低下するのを抑制することができる。
【００５２】
また、ストッパ部２２は、シリコーンゴムなどの合成ゴムや天然ゴムなどの弾性を有する材料で形成されているので、一対のストッパ部２２が楽器本体１の一対の側板５の後端部に位置する各端面５ａに押し当てられると、一対のストッパ部２２が弾性変形することにより、鍵盤蓋１０の開閉動作による衝撃を吸収することができると共に、楽器本体１の後面を傷付けないようにすることができる。
【００５３】
この場合、一対のストパ部２２は、その突出高さＨ１が楽器本体１の後端面における両側の縁部、つまり側板５の後端部における端面５ａに当接して弾性変形した際に、鍵盤蓋１０が楽器本体１の後端面に対して非接触状態を保持する高さに形成されているので、一対のストッパ部２２が弾性変形しても、鍵盤蓋１０が楽器本体１の後端面、つまり一対の側板５の後端部における端面５ａおよび後板４の後面に接触することがないため、鍵盤蓋１０が楽器本体１の後端面を傷付けるのを防ぐことができる。
【００５４】
このため、この鍵盤楽器では、楽器本体１の後部の強度を高めるために、後板４を強度の高い材料で形成したり、または後板４の厚みを厚くしたり、あるいは後板４に補強部材を設けたりする必要がないので、楽器全体における重量の増加やコストアップを防ぐことができ、これにより軽量で低価格なものを提供することができる。
【００５５】
なお、上述した実施形態では、一対のストッパ部２２をシリコーンゴムなどの合成ゴムや天然ゴムなどの弾性材料で形成した場合について述べたが、必ずしも弾性材料で形成する必要はなく、楽器本体１の後部に当接した際に、弾性変形するばね性を有する弾性変形部を備えた構成であっても良い。
【００５６】
また、上述した実施形態では、一対のストッパ部２２を鍵盤蓋１０にそれぞれ別部材として取り付けるように構成した場合について述べたが、これに限らず、一対のストッパ部２２を鍵盤蓋１０にそれぞれ一体に形成した構成でも良い。この場合には、上述したように楽器本体１の後部に当接した際に、一対のストッパ部が弾性変形するばね性を有する弾性変形部を備えた構成にすれば良い。このように構成すれば、部品点数を削減することができると共に、組み立て作業性の向上を図ることができる。
【００５７】
さらに、上述した実施形態では、楽器本体１に鍵盤蓋１０を開閉可能に取り付けるための蓋開閉装置１１が、楽器本体１内に設けられた支持軸１２と、この支持軸１２にそれぞれ回転自在に取り付けられて鍵盤蓋１０の下面における両側に取り付けられたアーム部材１３と、このアーム部材１３にそれぞれ取り付けられて支持軸１２を中心に鍵盤蓋１０と共に回転する連動歯車１４と、楽器本体１の側板５の内面にそれぞれ設けられて鍵盤蓋１０の開閉動作を制動するダンパ装置１５とを備えた構成である場合について述べたが、必ずしもダンパ装置１５および連動歯車１４を備えた構成である必要はなく、例えば、図１０に示す変形例のように構成しても良い。
【００５８】
すなわち、この変形例の蓋開閉装置３０は、楽器本体１の一対の側板５の内面にそれぞれ設けられた一対の補強板３１と、この一対の補強板３１にそれぞれ設けられた一対の支持軸３２と、この一対の支持軸３２にそれぞれ上下方向に回転自在に取り付けられて鍵盤蓋１０の下面における両側に取り付けられた一対のアーム部材３３とを備えた構成になっている。このような蓋開閉装置３０では、一対のアーム部材３３が楽器本体１内の一対の補強板３１にそれぞれ設けられた一対の支持軸３２を中心に上下方向に回転するので、簡単な機構で、鍵盤蓋１０を上下方向に回転させて楽器本体１を開閉することができる。
【符号の説明】
【００５９】
１  楽器本体
２  底板
３  前板
４  後板
５  一対の側板
５ａ  側板の端面
６  上板
８  鍵盤部
１０  鍵盤蓋
１１、３０  蓋開閉装置
１２、３２  支持軸
１３、３３  アーム部材
１８  スリット孔
１９  ねじ
２０  ねじ挿入孔
２０ａ  挿入部
２０ｂ  座ぐり部
２１  面取り部
２２  ストッパ部
２３  取付部
２４  突起部
【図１】
0005544802.tif 000002
【図２】
0005544802.tif 000003
【図３】
0005544802.tif 000004
【図４】
0005544802.tif 000005
【図５】
0005544802.tif 000006
【図６】
0005544802.tif 000007
【図７】
0005544802.tif 000008
【図８】
0005544802.tif 000009
【図９】
0005544802.tif 000010
【図１０】
0005544802.tif 000011